(57)【要約】小型化粧品１１の一端を着脱自在に連結する連結キャップ１５と、その連結キャップ１５の上端に連結されるストラップ１６とからなる吊り下げ具１２。この吊り下げ具１２の連結キャップ１５に、小型化粧品１１などの小物品を着脱自在に連結して吊り下げセット１０とする。小型化粧品１１は、本体１３と、その本体１３の上端に着脱自在に結合される蓋体１４とからなる。蓋体１４は連結キャップ１５に対して着脱自在に連結される。
2008001576.tif 000002
【特許請求の範囲】
【請求項１】
携行品に小物品を吊り下げるための吊り下げ具であって、
小物品の一端を着脱自在に連結する連結キャップと、
その連結キャップの上端に連結されるストラップとからなる、吊り下げ具。
【請求項２】
請求項１記載の吊り下げ具と、その吊り下げ具の連結キャップに着脱自在に連結される小物品とからなり、
その小物品が本体と、その本体の上端に着脱自在に結合される蓋体とからなり、その蓋体が前記連結キャップと着脱自在に連結されている、小物品の吊り下げセット。
【請求項３】
前記連結キャップと小物品の蓋体とがスナップ式ないし摩擦式の嵌着構造で連結されると共に、小物品の本体と蓋体の連結部が、前記連結キャップと蓋体の連結強度より強い連結強度のスナップ式ないし摩擦式の嵌着構造で連結されている請求項２記載の小物品の吊り下げセット。
【請求項４】
前記連結キャップと小物品の蓋体とがスナップ式ないし摩擦式の嵌着構造で連結されており、蓋体と本体の連結部がネジ式の嵌着構造を備えている請求項２記載の小物品の吊り下げセット。
【請求項５】
請求項１記載の吊り下げ具と、その吊り下げ具の連結キャップに着脱自在に連結される小物品とからなり、
その小物品が本体と、その本体の上端に着脱自在に結合される蓋体とからなり、その本体が前記連結キャップと着脱自在に連結されている、小物品の吊り下げセット。
【請求項６】
前記連結キャップが、蓋体または本体に対して横方向から装着できるように、側壁に開口を備えている請求項２記載の小物品の吊り下げセット。
【請求項７】
請求項１記載の吊り下げ具と、その吊り下げ具の連結キャップにそれぞれが着脱自在に連結される複数種類の小物品とからなる、小物品の吊り下げシステム。
【請求項８】
前記小物品が化粧品である請求項１記載の小物品の吊り下げ具。
【発明の詳細な説明】
【技術分野】
【０００１】
本発明は吊り下げ具およびそれを用いた小物品の吊り下げセットに関する。さらに詳しくは、携帯電話機やバッグなどに化粧品や文具類などの小物品を吊り下げるための吊り下げ具およびそれを用いた使いやすい小物品の吊り下げセットに関する。
【背景技術】
【０００２】
【特許文献１】実用新案登録第３１１３０４７号公報
【特許文献２】実用新案登録第３１１８８３０号公報
【特許文献３】特開２００２−１７４２５号公報
【特許文献４】実用新案登録第３０９４５１０号公報
【０００３】
特許文献１には、円筒状の容器本体と、その容器本体に対して着脱自在で、かつ、上端にストラップを取り付けたキャップとからなる口紅容器が開示されている。【０００４】
特許文献２には、同様な化粧品容器で、容器本体の嵌合部に２本のＬ字状の掛止溝が形成され、キャップにその掛止溝と係合する２個の係止片が設けられたものが開示されている。キャップは、Ｌ字状の掛止溝の縦溝に掛止片を挿入しながら容器本体に嵌着し、ついで回転させることにより、抜け落ちないように取り付けることができる。【０００５】
特許文献３には、両端が開口している円筒状の中空ケース本体と、その中空ケース本体の一端にネジ止めされたホルダーと、そのホルダーに固定した筆記具や化粧道具と、筆記具などに被せる、ストラップおよびマスコットを備えたキャップと、中空ケース本体の底部側に設けた裏蓋とからなる小物入れストラップが開示されている。【０００６】
特許文献４には、円筒状の本体と、その本体に対してヒンジで連結された蓋とを備えた灰皿を、携帯電話機のストラップに連結した携帯灰皿ストラップが開示されている。
【発明の開示】
【発明が解決しようとする課題】
【０００７】
特許文献１の化粧品容器は、キャップがストラップによって携帯電話機に連結されているので、落としたりなくしたりするおそれがない。また、口紅などをキャップから外すだけで、携帯電話機から分離することができる。しかしキャップを開け閉めするときは、容器本体を片手に持ち、他方の手で携帯電話機とキャップの両方を保持するか、携帯電話機を机などに載せてストラップの許す範囲でキャップを摘むことになり、大変煩わしい。【０００８】
なお、本体側、とくに容器本体の底部にストラップを取り付ける場合は、キャップの取り外しが楽になる反面、容器本体を持って口紅を塗るときに、携帯電話機と一緒に持つ必要がある。さらに容器本体の底部にストラップを取り付ける場合は、ぶら下げているときに後部側が下側になるので、グロス、リップ、ライナー、マスカラ、アイブロウ、香水などのうち、液状ないしジェル状（流動状）の化粧品を充填すると、洩れるおそれがある。【０００９】
特許文献２の化粧品容器および特許文献３の小物入れストラップについても、キャップに直接ストラップを連結しているので、特許文献１の場合と同様の問題がある。特許文献３の携帯灰皿ストラップは、蓋体が本体にヒンジで取り付けられているので、キャップを外す口紅などには使用できない。しかしこの本体内に小型の化粧品や筆記具を収納することはできる。その場合、容器が二重になるので、容器が大型になる。【００１０】
本発明は、携帯電話機などの携行品にストラップで連結することができ、しかも携行品からあらかじめ取り外した状態で蓋体の開け閉めができる吊り下げ具および小物品の吊り下げセットを提供することを技術課題としている。さらに本発明は、液体や流動体を充填しても洩れにくい小物品の吊り下げセットを提供することを目的としている。
【課題を解決するための手段】
【００１１】
本発明の吊り下げ具（請求項１）は、携行品に小物品を吊り下げるための吊り下げ具であって、小物品の一端を着脱自在に連結する連結キャップと、その連結キャップの上端に連結されるストラップとからなることを特徴としている。【００１２】
本発明の小物品の吊り下げセット（請求項２）は、前述の吊り下げ具と、その吊り下げ具の前記連結キャップに着脱自在に連結される小物品とからなり、その小物品が本体と、その本体の上端に着脱自在に結合される蓋体とからなり、その蓋体が前記連結キャップと着脱自在に連結されていることを特徴としている。【００１３】
このような小物品の吊り下げセットにおいては、前記連結キャップと小物品の蓋体とがスナップ式ないし摩擦式の嵌着構造で連結されると共に、小物品の本体と蓋体との連結部が、前記連結キャップと蓋体の連結強度より強い連結強度のスナップ式ないし摩擦式の嵌着構造で連結されているものが好ましい（請求項３）。【００１４】
また、前記連結キャップと小物品の蓋体とがスナップ式ないし摩擦式の嵌着構造で連結されており、蓋体と本体の連結部がネジ式の嵌着構造を備えているものであってもよい（請求項４）。本発明の吊り下げセットにおいては、連結キャップと蓋体を連結するほか、小物品の本体と前記連結キャップとを着脱自在に連結してもよい（請求項５）。【００１５】
また、前記連結キャップが、蓋体または本体に対して横方向から装着できるように、側壁に開口を備えていてもよい（請求項６）。【００１６】
本発明の小物品の吊り下げシステムは、前述の吊り下げ具と、その吊り下げ具の連結キャップにそれぞれが着脱自在に連結される複数種類の小物品とからなることを特徴としている（請求項７）。前記小物品は、化粧品であるのが好ましい（請求項８）。【００１７】
その他、前記小物品が装飾要素を液密状態、また密閉状態で透明又は半透明の本体に収容している装飾具や、ブザーや電池などの構造物を本体に収容している防犯用ブザー、また携行型照明具の構造物を本体に収容している照明具、また、前記本体が薬や鍵などの小物を収容するための容器に形成されているのも好ましい。
【発明の効果】
【００１８】
本発明の吊り下げ具（請求項１）は、携行品にストラップを連結することにより、連結キャップを飾りとする飾り紐として用いることができる。たとえば携帯電話機の飾り付きのストラップとして使用しうる。さらに連結キャップに小物品の一端を連結することにより、その小物品を飾りとして使用しうる。そして小物品を交換することにより、種々の飾り付きストラップとして楽しむことができる。【００１９】
本発明の吊り下げセット（請求項２）は、連結キャップのストラップを携行品に取り付けることにより、携行品の飾りとして使用することができる。そして小物品を本来の目的で使用する場合、連結キャップから小物品を取り外し、独立した物品として使用しうる。すなわち、携行品から取り外してストラップや携行品から自由にした後、本体から蓋体を取り外して口紅などの化粧品として使用したり、筆記具として使用する。蓋体は本体の内容物を保護し、液体の場合は乾燥や漏れを防止する。使用後は、再び蓋体を本体に取り付けて、安全な状態にした上で、連結キャップに楽に連結することができる。連結キャップを本体に対して連結する場合（請求項５）も同様の作用効果を奏することができる。【００２０】
このような吊り下げセットにおいて、前記連結キャップと小物品の蓋体とがスナップ式ないし摩擦式の嵌着構造で連結されると共に、小物品の本体と蓋体との連結部が、前記連結キャップと蓋体または本体との連結強度より強い連結強度のスナップ式ないし摩擦式の嵌着構造で連結されている場合（請求項３）は、連結キャップと本体を手に持って引っ張るなどの取り外す操作をした場合でも、蓋体が本体から外れずに、連結キャップと蓋体との連結部が外れる。そのため安全である。すなわち、本来、使用者は蓋体と連結キャップとを両手に持って連結を外せばよいが、誤って本体と連結キャップとを両手に持って取り外す操作をした場合でも、先に蓋体が本体から外れてしまうといった不測の事態を防止しうる。【００２１】
また、前記連結キャップと小物品の蓋体との連結部がスナップ式ないし摩擦式の嵌着構造を備えており、連結キャップと蓋体との連結部がネジ式の嵌着構造を備えている場合（請求項４）は、両方の取り外し方が異なるため、本体と連結キャップを手に持って結合を外すとき、引っ張るか回すかのいずれかの操作を選択することにより、所望の個所で分離することができる。さらに本体と蓋体とがネジ式であるので、本体に液体や流動体を充填している場合でも、漏れにくい。また、前記連結キャップが、横方向から装着できるように、側壁に開口を備えている場合（請求項６）、縦方向に装着しにくい小物品あるいは蓋体の場合でも、連結キャップを容易に装着することができ、また、連結キャップを容易に小物品から取り外すことができる。【００２２】
本発明の吊り下げシステム（請求項７）は、連結キャップのストラップを携行品に連結したまま、連結キャップに連結する複数種類の小物品を容易に交換することができる。【００２３】
また、前記小物品が化粧品である場合（請求項８）は、化粧品は携行品と一体になっているので、携行し忘れるのを防止できる。したがって、外出先で、化粧直しをすることができる。【００２４】
その他、前記小物品が透明又は半透明の前記本体と、その本体の上端に着脱自在に連結されている蓋体とからなり、装飾要素が液密状態でその本体に収容されている小型装飾具の場合、本体は、この上端に着脱自在になっている蓋体ごと、前記連結キャップから外すことができる。したがって本体の液体を交換するとき、本体は蓋を連結した状態で連結キャップ、ひいては携行品から取り出すことができるので、液体がこぼれる危険はない。また、安心して液体を交換できる。また、例えば本体に粉末状の物、貴金属、薬剤などの小物を密閉状態で収容する携帯ケースの場合、本体は蓋体ごと、連結キャップから取り出せるので、本体の物が落下することはない。【００２５】
また、防犯用ブザーの構造物を前記本体に収容し、本体の上部に前記蓋体を被せておくことによって、本体の上部側面に設けたＯＮＯＦＦスイッチをＯＦＦ状態にし、蓋体を外すことによってＯＮ状態に切り換えできる防犯用ブザーの場合、携行品に取り付けておくことによって、防犯ブザーを携行し忘れることは防止できる。また防犯用ライトの構造物を本体に収容し、前記防犯用ブザーと同じく蓋体によってスイッチをＯＮＯＦＦ切り換えできる防犯用ライトの場合、外出時、防犯用ライトは携行品と一体にできるので、携行し忘れるのを防止できる。したがって、夜道などでは、このような防犯用グッズによって、身を守ることができる。【００２６】
つぎに図面を参照しながら本発明の吊り下げ具、小物品の吊り下げセット（以下、単に「吊り下げセット」という）および小物品の吊り下げシステムの実施の形態を説明する。
【図面の簡単な説明】
【００２７】
【図１】本発明の吊り下げセットの一実施形態を示す組立前の斜視図である。
【図２】図１の吊り下げセットの組立状態を示す縦断面図である。
【図３】本発明の吊り下げセットの他の実施形態を示す組立前の斜視図である。
【図４】図３の吊り下げセットの組立状態を示す縦断面図である。
【図５】図５ａ〜ｉはそれぞれ本発明の吊り下げセットの他の実施形態を示す側面図または一部切り欠き側面図である。
【図６】図６ａ〜ｃはそれぞれ本発明の吊り下げセットのさらに他の実施形態を示す断面図であり、図６ｄは本発明の吊り下げセットのさらに他の実施形態を示す要部断面図である。
【図７】図７ａ〜ｃはそれぞれ本発明の吊り下げセットのさらに他の実施形態を示す要部斜視図である。
【図８】図８は本発明の吊り下げシステムの実施形態を示す正面図である。
【図９】図９は本発明の吊り下げセットのさらに他の実施形態を示す要部断面図である。
【図１０】図１０は本発明の吊り下げセットのさらに他の実施形態を示す要部断面図である。
【図１１】図１１は吊り下げセットの実施形態を示す斜視図である。
【図１２】図１２ａおよび図１２ｂはそれぞれ本発明の吊り下げセットの他の実施形態の組立状態を示す縦断面図である。
【図１３】図１３は図５ｉのその他の実施形態を示す斜視図である。
【発明を実施するための最良の形態】
【００２８】
図１は本発明の吊り下げセットの一実施形態を示す組立前の斜視図、図２は図１の吊り下げセットの組立状態を示す縦断面図、図３は本発明の吊り下げセットの他の実施形態を示す組立前の斜視図、図４は図３の吊り下げセットの組立状態を示す縦断面図、図５ａ〜ｉはそれぞれ本発明の吊り下げセットの他の実施形態を示す側面図または一部切り欠き側面図、図６ａ〜ｃはそれぞれ本発明の吊り下げセットのさらに他の実施形態を示す断面図、図６ｄは本発明の吊り下げセットのさらに他の実施形態を示す要部断面図、図７ａ〜ｃはそれぞれ本発明の吊り下げセットのさらに他の実施形態を示す要部斜視図、図８は吊り下げシステムの正面図、図９は小型装飾具の実施形態を示す要部断面図、図１０は携帯ケースの実施形態を示す要部断面図、図１１は防犯用ライトの分解斜視図、図１２ａおよび図１２ｂはその他の吊り下げセットの要部断面図、図１３は図５ｉのその他の実施形態を示す斜視図である。【００２９】
図１の吊り下げセット１０は、小型化粧品１１と、その小型化粧品１１を携帯電話機などに吊すための吊り下げ具１２とから構成されている。小型化粧品１１は、本体（容器本体）１３と、その本体１３に嵌着される蓋体（本来のキャップ）１４とから構成される略角柱状ないし棒状である。吊り下げ具１２は、連結キャップ１５と、その上端に連結されるストラップ１６とから構成されている。【００３０】
小型化粧品１１の本体１３は略角柱状の形態を備えており、その上端に円筒状の嵌合部１７が突出し、内部に円筒状の内容器１８が回転自在に収容されている。本体１３は断面四角形であるが、六角形あるいは八角形などの断面多角形とすることもでき、円形ないし楕円形とすることもできる。内容器１８の上端は嵌合部１７の上端から突出している。【００３１】
本体１３の内部には、たとえば図２に示すように、スティックタイプの口紅１９が公知の繰り出し機構２０と共に収容されている。繰り出し機構２０は、たとえば本体１３の底部に固定されたネジ軸２１と、そのネジ軸２１と螺合し、内容器１８に対して軸方向移動自在に収容され、かつ、回転しないようにガイドされる可動部材２２などから構成されている。口紅１９の下端は可動部材２２に固着されている。【００３２】
このものは内容器１８と本体１３とに相対的な回転を与えると、可動部材２２が上昇して口紅１９の先端を内容器１８の上端から突出させる。内容器１８と本体１３とを相対的に逆回転させると、可動部材２１が下降して口紅１９の先端が内容器１８の内部に収容される。なお、上記以外に、従来公知の他の繰り出し機構を採用することもできる。また、口紅（リップ）１９以外に、シャドウ、コンシーラのほか、固定タイプのグロス、ライナー、マスカラ、アイブロウなどの固定タイプないしペンシルタイプの化粧品、固定タイプの糊（スティック糊）、筆記具などの文房具、その他の物を収容することもできる。図２では口紅１９の上端が斜めになっているが、コンシーラなどでは平坦になっている。【００３３】
前記蓋体１４は、その本体１３に合わせ略角柱状であり、内部は嵌合部１７と強くスナップ嵌合ないし摩擦嵌合するようにされている。蓋体１４の上部には、連結キャップ１５がスナップ嵌合ないし摩擦嵌合するための段部２４、２５が形成されている。連結キャップ１５と蓋体１４との嵌合強度は、蓋体１４と本体１３との嵌合強度よりは弱いが、連結キャップ１５は小型化粧品との結合状態が維持できる程度の嵌合強度を有しているので、小型化粧品は連結キャップから、簡単に脱落しない。それにより、本体１３を連結キャップ１５に対して強く引っ張ったとき、まず連結キャップ１５と蓋体１４との嵌合が外れ、蓋体１４は本体１３から外れない。【００３４】
そして蓋体１４と本体１３とが結合している安全な状態で、連結キャップ１５から、ひいてはストラップ１６が連結されている携帯電話機などの携行品から分離することができる。分離した後は、使用者は通常の口紅容器と同様に、蓋体１４を本体１３から外し、本体１３と内容器１８とを相対的に回転させ、口紅１９を繰り出して使用する。使用後は、口紅１９を内容器１８に収容し、蓋体１４を嵌着し、さらに連結キャップ１５に連結する。【００３５】
前記本体１３や内容器１８は、従来の口紅容器と同様に、金属や合成樹脂で構成することができ、場合によりガラスを用いることもできる。本体１３および内容器１８に透明な材料を用いると、口紅の色が外部から見えるため、携行品のすぐれた装飾品となる。ただし本体１３を不透明な材料として、金色と黒の塗り分けなどのデザインを施してもよい。また、内容器１８に装飾を施して、本体１３を透明ないし半透明にすることもできる。【００３６】
前記蓋体１４についても、本体１３と同様な材料を使用することができる。とくに本体１３に対して弾力的に嵌合させるため、合成樹脂を用いるのが好ましい。なお、内部を合成樹脂とし、外部を金属とすることもできる。さらに本体１３と同一の材料を用いてデザインも一体的にするのが好ましい。すなわち本体１３と蓋体１４を無色あるいは有色の透明ないし半透明にすると、デザインの上で好ましい。ただし本体１３を透明にし、蓋体１４を不透明にすることにより、インパンクトのあるデザインとすることもできる。【００３７】
前記連結キャップ１５は、蓋体１４に対して弾力的に嵌合できるように、合成樹脂や金属で成形するのが好ましい。なお、内部を合成樹脂とし、外部を金属とすることもできる。通常は不透明にするが、透明にすることもできる。連結キャップ１５は種々の小型化粧品１１と調和できるように、黒色、白色などの無彩色を採用するのが無難である。また、連結キャップは、これ単体でいわゆる携帯ストラップとして使用することもできる。特にラインストーンやカットグラス風のガラス製あるいは合成樹脂製装飾物などによって装飾を施しておけば、一層、豪華な携帯ストラップとなる。連結キャップ１５の上端には、連結孔２６を備えた突起が設けられている。ストラップ１６は連結孔２６に通された上で、カシメ部品２７で無端状に結合されている。ストラップの長さは連結キャップがストラップの輪の中をくぐり抜け出ることが可能であれば短目の長さでよい。また小型化粧品１１がくぐり抜け出ることができるように長めにする必要はないので、携帯電話機などに小型化粧品を吊るしても、ストラップの長さが煩わしくなることはない。携帯電話機などにストラップ１６を連結する場合は、連結キャップ１５を蓋体１４から外して行う。【００３８】
上記のように構成される吊り具セット１０は、ストラップ１６を携帯電話機に連結し、小型化粧品１１を吊り下げることにより、小型化粧品１１を携帯電話機などの装飾品、とくに実用性のある装飾品とすることができる。さらにこの吊り具セット１０は、蓋体１４を本体１３に取り付けたまま、連結キャップ１５から外すことができる。つまり通常の化粧品と同じく本体１３に蓋体１４が被された状態で取り外すことができるので、その化粧品を直ぐに使用しない場合、バッグなどの中に仮置きしておくことができる。その場合、小型化粧品１１は蓋が被されているので、バッグの中を汚損することはない。そのため、使用者は安全に取り扱うことができ、ストラップ１６ごと、携行品から取り外す必要がない。【００３９】
そして図８に示すように、吊り下げ具１２を一個と、本体１３と蓋体１４の形状を共通にした数種類の小型化粧品１１を準備しておくことにより、使用者は好みの小型化粧品１１を選択して携帯することができる。また、本体のデザインがそれぞれ異なる物を準備しておくことにより、色々なデザインの外観を呈する化粧品を選択して携帯することができる。また、小型化粧品１１を他の小型化粧品と交換する場合、連結キャップ１５は携帯電話機などの携行品に装着したまま、小型化粧品だけを連結キャップ１５に差し替えるだけでよいので、わざわざストラップ１６を取り外す面倒はない。また、小型化粧品はストラップ１６ごと、携行品から取り外す必要がない。すなわち、前記連結キャップ１５とストラップ１６とからなる吊り下げ具１２は、複数種類の小型化粧品１１と組み合わせることにより、本発明の吊り下げシステム２９として使用することができる。組み合わせて使用する小型化粧品１１は、連結キャップ１５と連結できるものであれば形態は問わない。ただし平面形状を同一にして長さだけを変えるなど、デザインに統一性をもたせるのが好ましい。【００４０】
上記システムの各要素の販売する形態については、種々の形態を取ることができる。図８に示す組み合わせの外に、一般的には、連結キャップ１５とストラップ１６とを組み合わせた吊り下げ具１２を販売すると共に、内容物を収容した本体１３と蓋体１４とを組み合わせた小型化粧品などとして販売する。さらに、小型化粧品を複数種類をセットで販売してもよい。それにより、消費者は複数種類の小型化粧品を購入しておき、必要に応じて吊り下げ具１２に取り付けて使用することができる。本体１３と蓋体１４とを組み合わせた販売は、蓋体１４がその本体１３の専用となっているので、異なる色や種類の内容物の小型化粧品を購入したとき、前の色などと混ざらないため好ましい。特に蓋体１４にブラシなどの塗布具を一体に設けている場合は、一層、好ましい。【００４１】
また、連結キャップ１５に蓋体１４を組み付けた、蓋体付きの吊り下げ具の状態で販売すると共に、本体１３に種々の内容物を充填したカートリッジを販売することもできる。また、最初に蓋体付きの小型化粧品を購入した消費者が、同一の種類および色の製品を再度、あるいは繰り返し購入する場合にも、カートリッジのみを購入することができる。カートリッジにする場合は、本体１３を安価な材料で形成することもできる。【００４２】
カートリッジの場合は、本体１３に充填している内容物、とくに液体などがなくなると、別途購入した内容物入りの本体１３と交換して、新しい本体１３を蓋体１４にネジなどで連結する。本体１３の上端開口部には、アルミ箔などの金属箔、合成樹脂フィルム、あるいはそれらのラミネート材からなる剥離タイプのシートで密封しておく。【００４３】
カートリッジにする場合は、本体１３の内容物がなくなっても、蓋体１４を繰り返し使用することができるので、廃棄するものが少なくて済み、環境保護に役立つ。なお、内容物を金属箔や合成樹脂フィルムなどのシート材で形成した袋、あるいはパウチとし、内容物のみ入れ換える詰め替え用の袋として販売することもできる。【００４４】
図３に示す吊り下げセット３０は、全体が円柱状を呈していること、小物品として塗布具付きの小型化粧品を採用していること、本体１３と蓋体１４をネジで締結することを除けば、図１の吊り下げセット１０と実質的に同一である。そのため、同一の部分には同一の符号を付して詳細な説明は省略する。【００４５】
この吊り下げセット３０の本体１３は、リップ（口紅）、マスカラ、グロス、ライナー、アイブロウ、香水のうち、液体ないしジェル状（流動体）の化粧品を収容するものであり、液密に構成されている。そして図４に示すように、蓋体１４の内部に雌ネジ３１を形成し、本体１３の嵌合部１７に形成した雄ネジ３２に螺合するようにしている。このようにネジ止めにしているため、内部の液体ないし流動体は洩れにくい。さらに本体１３の蓋体１４の下端と接する部位にパッキンなどのシール材を設ければ、さらに液密性が高くなる。【００４６】
蓋体１４の内面中央部には、先端にブラシなどの塗布具３３を設けた軸３４を固着している。ブラシに代えて、後述するへら状、コーム状、スポンジやフエルトなど、液体ないしジェルを保持できる塗布具３３であれば、いずれも採用することができる。また、塗布具を備えていない蓋体１４の場合、本体にローションや乳液などの液体を収納する小型化粧品としても使用することができる。蓋体１４の上端と連結キャップ１５の連結は、図１の場合と同様のスナップ嵌合あるいは摩擦嵌合による連結としている。そのため、使用者は、本体１３と蓋体１４を液密状体で結合した状態のまま、連結キャップ１５から容易に取り外すことができる。そして取り外すときに蓋体１４が本体１３から外れるといった不測の事態は生じない。【００４７】
取り外した後は、公知の化粧品と同様に使用することができる。この場合も本体１３と蓋体１４とからなる小型化粧品１１は、携帯電話機などの携行品から完全に独立しているので、容易に蓋体１４を回転させてネジを外すことができる。そのため、液体をこぼすおそれがない。また、吊っている状態では、本体１３の上端開口部が常時、上を向いているため、液体が洩れるおそれが少ない。【００４８】
図３および図４の吊り下げセット３０は、本体１３、蓋体１４および連結キャップ１５がいずれも同一径の円筒状の形態を備えている。ただし図１の場合と同様に角柱状、楕円状などに形成することもできる。本体１３を円形断面とし、蓋体１４を多角形断面としたり、その逆にすることもできる。
上記のように構成される吊り下げセット３０についても、前述のような販売システムが好ましい。【００４９】
図５ａに示す吊り下げセット３５は、連結キャップ１５と蓋体１４を磁石３６で結合するようにしている。そのため、蓋体１４と連結キャップ１５の着脱が簡単である。磁石を蓋体１４と連結キャップ１５の双方に設ける場合は、互いに磁着するように、逆の極性を表面に向ける。蓋体１４と連結キャップ１５の一方に磁石を設け、他方に磁性金属を設けてもよい。また、連結キャップ１５には３６０度回転する回転連結部１５ａを設けている。回転連結部１５ａに連結するストラップ１６はねじれが防止される。【００５０】
この実施形態では、蓋体１４の上面に小さく突出する磁石３６を固定し、連結キャップ１５を略板状にした上で、磁石３６と嵌合する浅い凹部３７を形成している。そのため、一層、着脱が容易である。磁石３６は図５ａに示すような、碁石のような球面状の丸みを持たせ、浅い凹部３７は球面状の凹面とすることができる。ただし円柱状あるいは角柱状など、他の形状の突起および凹部とすることもできる。また、蓋体１４に凹部を設け、連結キャップ１５に突起を設けることできる。さらに磁石は平坦とし、他の部分に位置決め兼はずれ防止用の突起および凹部を設けることもできる。磁石は中央に１個設けるほか、２〜３個あるいは４〜６個程度を環状に配列するようにしてもよい。それにより磁着力を増大することができる。本体１３と蓋体１４のそれぞれに複数個の磁石と弾性変形する金属薄板とを組み合わせた強力な磁石セットを設けることもできる。【００５１】
図５ｂに示す吊り下げセット３８は、円筒状ないし角筒状の蓋体１４の全体に連結キャップ１５を弾力的に嵌着する構成としている。さらにこの吊り下げセット３８では、小物品として蓋体（キャップ）付きの筆記具を採用している。すなわち、本体１３としてボールペンなどの筆記具を採用し、蓋体１４として筆記具の先端を保護するキャップを採用している。そのため、連結キャップ１５から外しても、筆記具の先端を保護することができる。筆記具としては、ボールペンのほか、鉛筆、万年筆、消しゴム、鉛筆タイプの消しゴム、マーカーペン、シャープペンシル、いわゆる筆ペンなども採用することができる。
筆記具は携帯電話に手帳機能が整備されたこともあって、不携帯になり易い。しかし常時、携帯電話機を携帯するのが習慣になっているなかでは、万一、外出先で筆記具が必要になった場合、わざわざ筆記具を借りなくても、携帯電話機に取り付けられているストラップの筆記具によって、用を足すことができる。また、このような小型の筆記具は紛失し易いが、携帯電話機と一体になっていることによって、その惧れもない。【００５２】
図５ｃに示す吊り下げセット４０は、特許文献２の場合と同様に、連結キャップ１５の内面にＬ字状の溝４１を左右一対で形成し、蓋体１４の外面にそれらの溝４１と係合する２個の突起４２を設けている。そのため、連結キャップ１５を蓋体１４に真っ直ぐ被せ、つぎに回転させることにより、確実に連結することができる。この吊り下げセット５２は、本体が小物を収容する容器として作用するので、外出時に、携行品と一体させておくのに便利である。【００５３】
図５ｄに示す吊り下げセット４３は、本体１３の上端にボール４４を回転自在に収容し、本体１３内部の液体をボール４４を介して皮膚に塗布できるようにしたローラタイプの小型化粧品または小型の薬を採用している。また、連結キャップ１５と蓋体１４を樹脂ヒンジ４５を介して合成樹脂で一体に成形してもよい。さらに途中まで開いたときに開き側に付勢し、閉じている途中からは閉じ側に付勢するＬ字状の弾性片を一体に形成することもできる。樹脂ヒンジ４５に代えて、ピンジョイントのヒンジを採用することもできる。【００５４】
図５ｅに示す吊り下げセット４８は、連結キャップ１５に先端が膨大している嵌合突起４９を突設し、蓋体１４にその嵌合突起４９と弾力的に、あるいはスナップ嵌合により係合する嵌合凹部５０を設けている。このものも連結キャップ１５と蓋体１４の着脱が容易である。嵌合突起４９および嵌合凹部５０は１個だけでもよく、２個あるいは３個以上を左右対称に、あるいは環状に配列するようにしてもよい。また、嵌合突起４９を２個とし、嵌合凹部５０を４個あるいは６個とするなど、嵌合凹部５０の数を嵌合突起４９の数より多くすることもできる。本体１３側に嵌合突起４９を設け、蓋体１４に嵌合凹部５０を設けることもできる。この吊り下げセット５２は、本体が小物を収容する容器として作用するので、外出時に、携行品と一体させておくのに便利である。【００５５】
図５ｆに示す吊り下げセット５２は、本体１３の上部外周に雄ネジ３２を形成し、連結キャップ１５を、蓋体１４ではなく、本体１３に着脱自在に連結するようにしている。蓋体１４は、本体１３の上端開口部を塞ぐように嵌着しており、本体１３と連結キャップ１５との連結の妨げにならない大きさにしている。そして連結キャップ１５は蓋体１４を覆うようにして本体１５に連結している。連結キャップ１５と本体１３の連結は、ネジ式の連結構造に代えてスナップ式ないし摩擦嵌着式を採用するなど、前述あるいは後述する連結キャップ１５と蓋体１４の連結構造と同様のものを使用しうる。コルクやゴム、あるいは合成樹脂からなる密栓（プラグ）状の蓋体１４を採用することもできる。【００５６】
図５ｆの場合は、本体１３の上部外周に雄ネジ３２を形成し、連結キャップ１５の内面に雌ネジ３１を形成している。蓋体１４と連結キャップ１５の連結も同様であるが、ネジは通常のネジでもよく、ダブルネジとしてもよい。その場合は着脱に要する回転数が少なくて済む。ダブルネジのほか、３条ネジ以上の多条ネジとすることもできる。さらに連続するネジでなく、不連続なネジとすることもできる。また、片方をネジとし、他方をそのネジと螺合する突起とすることもできる。
この吊り下げセット５２は、本体が小物を収容する容器として作用するので、外出時に、携行品と一体させておくのに便利である。【００５７】
図５ｇに示す吊り下げセット５５は、アトマイザータイプの本体１３を採用している。符号５５ａは押しボタンであり、５５ｂはノズルないし噴孔である。蓋体１４は、誤操作防止に役立つ。図５ｃの溝４１と突起４２と同様の構造などにより、蓋体１４を取り外さずに回転させるだけで押しボタン５５ａを押すことができ、逆向きに回転させてロックできるように構成することもできる。噴霧させる機構は、通常は従来公知のポンプ機構である。しかしエアゾールタイプとすることもできる。アトマイザーに代えて、ノズル５５ａｂからクリーム状の内容物を押し出すものとすることもできる。【００５８】
この吊り下げセット５５の小物品としては、香水や汗などの臭いを吸収する消臭用の小型化粧品の外、消臭や滅菌などの小型衛生用品、刺激物を放つ小型防犯用品などを採用することができる。小型衛生用品の場合、外出先で口臭を消臭したり、トイレの便座を滅菌したりしなければならないとき、携行品と一体になっているので、その場で直ぐに消臭や滅菌ができる。
なお、本体１３の形状は本体に収容する小物の形状に応じて変形してもよい。また本体の収納部の形状は長方形や楕円などでもよい。例えばこのセットを偏平状のもの、またシート状のものを収容するケースとして採用する場合、本体に肩部を設けずに直方体状の容器の上端がそのまま開口しているのが好ましい。それにより、たとえば電車の切符や鍵は本体に簡単に出し入れができる。このように本体の形状は収容する物に最適な形状にするのが好ましい。ただし、本体１３の口部内周は蓋体が着脱できる形状とし、さらに蓋体は連結キャップに連結できる形状とする。【００５９】
図５ｈに示す吊り下げセット５６は、連結キャップ１５の周囲に係合爪５７を備えた弾性片５８を設け、蓋体１４に設けた係合凹部５９と弾力的に係合する構成を採用している。弾性片５８および係合凹部５９は、たとえば３〜８個所程度設けるのが好ましい。【００６０】
図５ｉに示す吊り下げセット１３０は、連結キャップ１５を蓋体１４の側方から嵌める構造になっている。この場合の蓋体１４の天面は、その両側が半円形で、その向かい合う半円形をつなぐ二本の辺が互いに平行に延びる長円形に形成され、またその胴部は、その長円形の周縁より下方に真っ直ぐ延びる筒形に形成されている。また、連結キャップ１５は、この蓋体に嵌合可能な長円体に形成されていると共に、その胴部の一端側の半円筒部に挿入口１３１が切り欠き形成されている。その挿入口１３１の下方の左右に弾性片１３２が円弧状に突出して形成されている。左右の弾性片１３２の先端同士の間隔は蓋体１４の半円筒部の直径よりも幅狭になっている。【００６１】
弾性片１３２を蓋体１４の一端側の胴部に押し当てると、弾性片１３２は外側方向に押し広がるので、連結キャップ１５は蓋体１４の他端側へと挿入することができる。また、弾性片１３２はバネ作用によって、蓋体１４の胴部の半円筒部に抱持状態で密着し、また、連結キャップは蓋体の胴部の周囲に密着状態で連結するので、蓋体が連結キャップから簡単に抜け出ることはない。【００６２】
また、連結キャップ１５の胴部の下端の内周に、蓋体１４の下端に係合可能な係合突起１３３を設けておくのが、一層好ましい。閉蓋状態における蓋体１４の下端と本体１３の肩部との間に環状の隙間１３４が生じる包装容器の場合、係合突起１３３をその隙間１３４に挿入して係合すれば、連結キャップ１５は蓋体１４にスライドさせることができる。そして、連結キャップ１５は連結方向に正しく誘導されるので、迅速、かつ確実に連結作業ができる。また、係合枠１３３は蓋体１４の下端に係合可能になっているので、蓋体１４は下方向に抜け出るのが防止される。【００６３】
この連結キャップ１５は、前述のように長円体の蓋付きの各種小型包装容器に採用することができる。また、物品の上部が長円体に形成されているものであれば、包装容器以外にも採用することができる。例えば、その上方または下方が略長円体に形成されているライターを携行品に連結するのに、連結キャップを採用してもよい。なお、ライターのように蓋体がないものについては、上記のような隙間は形成されないので、これに対応する連結キャップとしては、例えば連結キャップの胴部内面に複数個の突起部を設けて蓋体との摩擦度を高めるのが好ましい。【００６４】
連結キャップをライターに連結する場合、図１３に示すように、ライター１４０の側面に火力調整レバー１４１が突出していても、連結キャップ１５は側面が挿入口１３１によって開放されているので、火力調整レバー１４１にぶつかるのは防止されている。したがって連結キャップはライターの側方または上方のいずれの方向からでも装脱着ができる。また、連結キャップに連結されたライター１４０はその天面に設けられている着火操作部１４２が連結キャップ１５によって覆われるので、物に押されて着火することは防止できる。【００６５】
また、小物品の蓋体が略四角柱の場合、連結キャップは、略四角柱の胴部の一面を全面的に開口して挿入口を形成する。連結キャップは前述のように、胴部の内面に突起部を設けて蓋体との摩擦力を高めたり、また、胴部の下端の内周に係合枠を形成してもよい。また、新たに挿入口の内周に小突起を形成しておいてもよい。その小突起は連結キャップに連結される蓋体の前面側に係合可能になっており、蓋体が連結キャップの挿入口から抜け出るのを防止する。なお、この小突起は蓋体を挿入口から引っ張り出すのに、格別の障害にはならない。【００６６】
図６ａに示す吊り下げセット６０は、図１および図２の吊り下げセット１０とほぼ同一であるが、内容器１８に代えて、円柱状でレンコン状の穴６１を複数個有する透明合成樹脂製の保持体６２を備えており、穴６１にはジェル状の化粧品、たとえば口紅などが充填されている。保持体６２はネジ軸２１によって上下に移動せず、蓋体１４を外すと、保持体６２の先端は始めから上部に突出している。そしてネジ軸２１を回転させると、ジェル状の口紅が穴６１からわずかに押し出されるようにしている。この吊り下げセット６０も図１、図２の吊り下げセット１０と同一の作用効果を奏する。【００６７】
図６ｂに示す吊り下げセット６３は、図３および図４の吊り下げセット３０の変形例であり、蓋体１４に固定した軸３４には、ブラシに代えてゴム状のへら６４を塗布具として取り付けている。本体１３にはジェル状の口紅やマスカラなどの化粧品が充填されている。【００６８】
図６ｃに示す吊り下げセット６５は、軸３４の先端に細かな毛を有する線条体を螺旋状に設けた塗布具６６を設けている。そして本体１３の上端内部に、ジェル状の内容物、たとえば口紅（リップ）をしごくためのリング６７を設けている。塗布具６６としては、合成樹脂ないしシリコーンゴム製のコーム状のもの、ネジ状のものなど、種々のものを採用することができる。【００６９】
図６ｄに示す吊り下げセット７０は、図３、図４の吊り下げセット３０とは逆に、蓋体１４の下端外周に雄ネジ３２を設け、本体１３の上端内周に雌ネジ３１を設けている。蓋体１４の上部は摘みとして使用する。【００７０】
図７ａに示す小型化粧品７１は、蓋体１４の構成は図３の場合とほぼ同様であるが、本体１３の上端内部に逆テーパ状のしごきリング７２が設けられている。しごきリング７２は薄いゴム片などからなり、塗布具３３を本体１３から抜き出すときに、塗布具３３の余分な液をしごいて適切な量に減らすことができる。通過後は元の形状を復元する。それにより本体１３から抜き出した塗布具３３の液垂れを防止することができる。さらに逆テーパ状であるので、塗布具３３を本体１３内に戻す操作も容易である。このしごきリング７２は、本体１３が揺れたときなどに、液漏れを防ぐこともできる。【００７１】
図７ｂに示す吊り下げセット７４は、連結キャップ１５とストラップ１６の間に開閉自在な連結リング７５を介在させている。この吊り下げセット７４は、連結リング７５に他の連結キャップ１５ａを連結することができる。その場合はストラップ１６は両方の連結キャップ１５、１５ａの共用部品となる。さらにストラップ１６を携行品から外した状態では、キーホルダーとしても使用することができ、その場合も小型化粧品などが揺れる飾りとなる。２個の連結キャップ１５、１５ａとストラップ１６とは、本発明の吊り下げ具の一実施形態である。【００７２】
図７ｃの吊り下げセット７８の蓋体１４には、先端が膨大した係合突起７９が設けられており、連結キャップ１５には、その係合突起７９と弾力的に係合するスリットないし穴８０を備えた逆Ｌ字状の係合片８１を設けている。このものは連結キャップ１５と蓋体１４との結合がしっかりしており、しかも容易に外すことができる。係合突起８１を通すとき、穴８０は弾力的に拡がる。【００７３】
穴８０は、係合突起７９の先端膨大部が通過する大きい穴と、根元部の細い部分のみを通す細いスリットとを組み合わせた鍵穴状にしてもよい。その場合は必ずしも弾力的に変形しなくてもよい。鍵形の穴を用いる場合は、大きい穴を下側にしてスリットを上側に配置するのが好ましい。それにより、連結キャップ１５を蓋体１４あるいは本体１３に深く嵌着させた状態では外れない。なお、蓋体１４に係合片８１を設け、連結キャップ１５に係合突起７９を設けることもできる。【００７４】
その他の吊り下げセットとしては、図９に示す小型装飾具１０５と、その小型装飾具を携帯電話機などに吊るすための吊り下げ具１０６とからなる吊り下げセット１０７がある。この小型装飾具１０５は、小型装飾物を収納するための本体１０８と、その本体に嵌着される蓋体１０９とから構成されている。蓋体１０９と本体１０８の連結部は、水密構造になっている。この連結構造はネジ式が好ましい。吊り下げ具１０６は、前述のとおり、図１に示す吊り下げ具１２と同じ形態で、連結キャップ９０と、その上端に連結されるストラップ９１とから構成されている。【００７５】
連結キャップ９０は、図１に示すように蓋の上部に連結するものであってもよいが、図５ｆまた後述の図１２ａのように蓋体の全身が連結キャップに覆われるものでもよい。上記本体１０８の中に収納する装飾物としては、単体では携帯電話機に吊るすことができない物が特に好ましく、例えば水棲植物や、金粉や金箔などが好ましい。本体１０８は中の装飾物が透視できるように透明体になっている。また本体１０８の形状は球体形状、円筒形状または角柱形状など、中に収納する装飾物によって適宜、選択するものとする。【００７６】
装飾物がマリモ１１０の場合、マリモは本体１０８に水１１１と共に収納される。マリモは、本体１０８の中で生息できるので、生のマリモを携帯電話機のストラップとして使用することができる。また本体１０８の水１１１は交換することができるし、また小型装飾具１０５を連結キャップ９０から外し、携帯電話機と分離して、冷蔵庫に一時的にいれるなど、マリモの生息環境を確保することもできる。また小型装飾具１０５は本体１０８に蓋体１０９が設けられているので、連結キャップ９０から外しても、中の水がこぼれることはない。【００７７】
また金粉や金属箔自体は、携帯電話機のストラップとして吊るすことはできないが、図１０に示すように、本体１０８に金粉や金箔１１５収納して、蓋体１０９を閉じることで、一つの小型装飾具１０５なる。また、前記小型装飾具同様、連結キャップに９０に小型装飾具１０５を連結するだけで、携帯電話機のストラップとして吊るすことができる。また、この小型装飾具１０５の金粉や金箔１１５は、外出時に携帯する携帯電話機に一体となっているので、例えば外出先で出された料理の上に散らすなどのパフォーマンスが簡単にできる。このとき小型装飾具１０５は連結キャップ９０から一旦、取り外した後、本体１０８の口部を上に向けて、蓋体１０９を開けることができるので、誤って金粉や金箔をこぼすことがない。【００７８】
また、空になった本体１０８には新たな金粉や金箔を簡単に補給できるので、消耗品をストラップとして携帯することができる。またこのような貴金属品でなくても、例えば、薬のカプセルや錠剤なども本体に収納して蓋をすることによって、興趣のある小型装飾具になるので、薬入れをストラップとして使用することもできる。したがって薬は目に留まり易い状態で携帯されるので、服用を忘れることは防止される。なお、薬入れを採用する場合も、本体は中が透視できるのが好ましいが、透視できなくてもよい。
その他、防犯用具を本体に収容して、携帯電話機に一体させておくことにより、外出中、身を守ることもできる。【００７９】
小型装飾具を、図８に示す小型化粧品の販売システムと同じように、連結キャップと複数種類の空の小型装飾具、つまり本体が異なったデザインの外観の容器をセットにして販売し、使用者が適宜好みの装飾物を容器に収容して、オリジナルの小型装飾具を作ってもよい。【００８０】
また、図１１に示すように、小型ライト１１９の場合、本体１２０に照明器具の構造物１２１を収容すると共に、本体１２０の先部の側面にＯＮ／ＯＦＦスイッチ１２２を突出状態で設け、また先端にライト１２３を設けている。蓋体１２４は本体の１２０の先端の外側に着脱自在に形成されている。蓋体１２４が本体１２０の先端部の外周に被さっているとき、ＯＮ／ＯＦＦスイッチ１２２は内側に押されてＯＦＦ状態になる。また、蓋体１２４を外した時、ＯＦＦ状態は解除されると共にＯＮ状態になる。蓋体１２４には連結キャップ１２５が外側に被さるので、スイッチやライト部は二重に保護される。本体１２０と蓋体１２４の連結強度は、蓋体１２４と連結キャップ１２５の連結強度よりも強くなっている。したがって、本体１２０を連結キャップ１２５から取り外すと同時にスイッチ１２２はＯＮ状態になる。また本体１２０を蓋体１２４に挿入することにより、ＯＦＦ状態になる。【００８１】
この小型ライト１１９は例えば携帯電話機に吊るしておくことにより、携帯電話機のメールが夜道で暗く、見え難いとき、瞬時にライトを付けることができるので、非常に便利である。また、夜道で不審者に遭遇しそうなとき、小型ライト１１９は携帯電話機に取り付けているので、見つけるのが簡単である。そして本体１２０を連結キャップ１２５から引っ張りだすだけの簡単な作業でライトをつけることができるので、安心して外出できる。また、小型ライト１１９を携帯電話機から分離して、スイッチ１２２を蓋体１２４に代わり指先などで押しおけば、ＯＦＦ状態は維持できるので、スイッチを瞬時に点灯することもできる。【００８２】
また、蓋体１２４は本体１２０との連結強度を連結キャップ１２５よりも強くしておけば、本体１２０を連結キャップ１２５より引っ張った時に、本体１２０と共に引っ張り出される。この場合、スイッチ１２２は蓋体１２４によってＯＦＦ状態を維持するので、小型照明具１１９はどこにでも移動させて放置しておくことができる。そして蓋体１２４を本体１２０から取り外すことにより、スイッチ１２２はＯＮ状態になり、また本体に被せることによりＯＦＦ状態になる。【００８３】
その他、図１１の小型ライトと同じ要領でスイッチがＯＮ／ＯＦＦし、また構造物が本体に収容されている小型防犯ブザーの場合は、本体に防犯ブザーの音響作用を設けている。したがって、本体を連結キャップより引っ張り出すことにより、スイッチがＯＮとなり、防犯ブザーが鳴る。また反対に本体を連結キャップに収容されている蓋体に嵌めることにより、スイッチはＯＦＦになる。また指先でスイッチを蓋体に代わり押さえることもできる。このように防犯ブザーを携帯電話機にストラップ代わりに吊るしておくことにより、身を守ることができる。また、小型防犯ブザーは携帯電話機から取り外しても、蓋体によってＯＦＦ状態が保持されるので、かばんの中に収納しておくこともできる。【００８４】
また、その他の吊り下げセットの構造として、図１２ａに示すように、連結キャップ９５が本体９６に連結された蓋体９７のほぼ全身を被覆するようになっているものがあげられる。この場合、本体９６の口部９８は胴部９６ａの上端に形成された肩部９９に垂設され、口部９８の外周および蓋体９７の内周のそれぞれに雌雄の螺子が刻設されている。連結キャップ９５は、下端が蓋体９７の下端にスナップ嵌合できるように、内面に係合部１００が形成されている。蓋体９７の高さは、蓋体９７を口部９８に緊締したとき、連結キャップ９５の下端が蓋体９７の下端にスナップ嵌合できるように、蓋体９７の下端が肩部９９に接触しないように、または蓋体９７の下端と肩部９９との間に隙間が形成されるように、設定されている。また、隙間の高さは、連結キャップ９５を蓋体９７にスナップ嵌合したとき、連結キャップの下端が本体の肩部に近接する程度が好ましい。【００８５】
明らかなように、本体９６と蓋体９７の連結は、連結キャップ９５と蓋体９７の連結よりも強力なので、本体９６と連結キャップ９５を反対方向に引っ張り合ったとき、本体９６は蓋体９７と連結したままの状態で、連結キャップ９５から分離する。しかし蓋体９７は連結キャップ９５と強力に一体化しているので、連結キャップ９５によって吊持された蓋体９７およびこれに連結された本体９６は、連結キャップ９５から簡単に外れることはない。なお、連結キャップ９５と蓋体９７は、上記スナップ嵌合に代えて、摩擦嵌合または螺子連結による方法でもよい。【００８６】
したがって口部９８が蓋体９７によって蓋をされた本体９６は、蓋体９７を連結キャップ９５に連結することによって、蓋体９７が不外見となり、また連結キャップ９５が本体９６肩部９９に接近するので、連結キャップ９５がこの口部９８を蓋している蓋のように外見される。つまり、本体９６の実質的な蓋体９７は、連結キャップ９５の中に完全収納されるので、蓋体９６の上に連結キャップ９５が連結しても、コンパクトな形態となる。また、連結キャップと本体の二体だけが外見されるので、連結キャップにストラップは設けられているものの、通常の容器を小型化した外観となっている。【００８７】
なお、前記本体９５の口部９６と蓋体９８の連結構造が螺子式ではなく、スナップ嵌合ないし摩擦嵌合にすることも可能である。その場合、連結キャップ１００と蓋体９８との連結強度よりも、蓋体９８と本体９５の連結強度を強くしておく。また、蓋体９８と本体９５の連結、また連結キャップ１００と蓋体９８の連結はネジ式または嵌合式のどちらでもよい。【００８８】
さらにその他の構造として、図１２ｂに示すように、連結キャップ１００が本体９６と蓋体９７のほぼ全身を被覆するようになっているものがあげられる。この場合、蓋体９７の下部の外周と本体の上部内周のそれぞれに雌雄の螺子を刻設している。また口部の上部は本体の外周よりも小さめが好ましい。連結キャップ９５は本体９６に対して、螺子式または嵌合方式のいずれかの方法で連結するものとする。本体９６の下端に厚味のある鍔１０１が形成されている場合、連結キャップ１００は、その鍔１０１を支持することによって本体９６から簡単に引き抜くことができる。【００８９】
上記の吊り下げセットの外観は、連結キャップ１００が蓋体９７および本体９６を全面的に被覆するので、本体の下端の鍔１０１は外見されるものの、連結キャップ１００に吸収されて外見される。したがって、この吊り下げセットは連結キャップのみからなるストラップの外観を呈する。【００９０】
図１２ａおよび図１２ｂの本体９６および蓋体９７は小型化粧品また小型筆記具として使用するのに、必要な機能を適宜、付加するものとする。例えば吊り下げセットを小型化粧品のグロス容器として使用する場合、蓋体９７の下端面に塗布具を取り付け、またその塗布具がしごけるように本体の内部にアタッチメントを設けるなど、適宜、部材を付加するものとする。
【符号の説明】
【００９１】
１０  吊り下げセット
１１  小型化粧品
１２  吊り下げ具
１３  本体
１４  蓋体
１５  連結キャップ
１６  ストラップ
１７  嵌合部
１８  内容器
１９  口紅
２０  繰り出し機構
２１  ネジ軸
２２  可動部材
２４、２５  段部
２６  連結孔
２７  カシメ部品
３０  吊り下げセット
３１  雄ネジ
３２  雌ネジ
３３  塗布具
３４  軸
３５  吊り下げセット
３６  磁石
３７  凹部
３８  吊り下げセット
４０  吊り下げセット
４１  Ｌ字状の溝
４２  突起
４３  吊り下げセット
４４  弾性片
４８  吊り下げセット
４９  嵌合突起
５０  嵌合凹部
５２  吊り下げセット
５５  吊り下げセット
５５ａ  押しボタン
５５ｂ  ノズル
５６  吊り下げセット
５７  係合爪
５８  弾性片
５９  係合凹部
６０  吊り下げセット
６１  穴
６２  保持体
６３  吊り下げセット
６４  へら
６５  吊り下げセット
６６  塗布具
６７  リング
７０  吊り下げセット
７１  小型化粧品
７２  しごきリング
７４  吊り下げセット
７５  連結リング
１５ａ  他の連結キャップ
７８  吊り下げセット
７９  係合突起
８０  穴
８１  係合片
８５  小型筆記具
８６  吊り下げ具
８７  吊り下げセット
８８  本体
８８ａ  本体先部
８９  蓋体
９０  連結キャップ
９１  ストラップ
９５  連結キャップ
９６  本体
９７  蓋体
９８  口部
９９  肩部
１００  連結キャップ
１０１  鍔
１０５  小型装飾具
１０６  吊り下げ具
１０７  吊り下げセット
１０８  本体
１０９  蓋体
１１０  マリモ
１１１  水
１１５  金箔
１１９  小型ライト
１２０  本体
１２１  構造物
１２２  ＯＮＯＦＦスイッチ
１２３  ライト
１２４  蓋体
１２５  連結キャップ
１３０  吊り下げセット
１３１  挿入口
１３２  弾性片
１３３  係合枠
１３４  隙間
１４０  ライター
１４１  火力調整レバー
１４２  着火操作部
【図１】
2008001576.tif 000003
【図２】
2008001576.tif 000004
【図３】
2008001576.tif 000005
【図４】
2008001576.tif 000006
【図５】
2008001576.tif 000007
【図６】
2008001576.tif 000008
【図７】
2008001576.tif 000009
【図８】
2008001576.tif 000010
【図９】
2008001576.tif 000011
【図１０】
2008001576.tif 000012
【図１１】
2008001576.tif 000013
【図１２】
2008001576.tif 000014
【図１３】
2008001576.tif 000015
【国際調査報告】
2008001576.tif 000016
2008001576.tif 000017